(57)【要約】      （修正有）【課題】放射性降下物検出装置の構造を提供する。【解決手段】主に座体１および座体１に設置するフラワーボディ２で構成する放射性降下物検出装置である。該座体にフィトンチッド、オゾンなど香りのある気体が入った缶を設置する。該缶に超音波の噴霧器を設け、該フラワーボディに放射性降下物検出部品２１および複数の茎２２、該茎の上端に可動できる花びら２３を設ける。該花びらはブレーキレバーによって駆動構造と接続することで、ノーマルの状態で放射性降下物検出部品２１が周りの放射性降下物の量を検出する。放射性降下物の量が過大である場合に駆動構造を触発し、それによりブレーキレバーが作動して花びらが垂れて萎れた状態を呈すことで、警告サインとする。また、異なる缶より微粒子化したフィトンチッド、オゾンなどを噴霧することで、周りの空気が香りに包まれてクリーンとなる。【選択図】図１
0003184728.tif 000002
【実用新案登録請求の範囲】
【請求項１】
座体、フラワーボディを含み、
座体は制御回路および該制御回路と接続する駆動構造、液状のフィトンチッド、オゾンなど香りのある気体が入った缶を設置し、該缶に超音波噴霧器を設け、噴霧器が制御回路と接続し、
該フラワーボディは制御回路の放射性降下物検出部品および複数の中空状の茎と接続し、該茎の上端に可動の花びらを設け、該花びらはそれぞれ中空の茎を通り、座体の駆動構造の偏心軸と接続するブレーキレバーとつながり、
ノーマルの状態で放射性降下物検出部品を介して、周りの放射性降下物の量を検出し、放射性降下物の量が過大である場合は、駆動構造を触発するようコントロールすることで、ブレーキレバーを作動させて花びらを垂れて萎れた状態にし、警告サインとし、また、異なる缶よりフィトンチッドやオゾンなどを噴霧することで、周りの空気が香りに包まれてクリーンとなることを特徴とする放射性降下物検出装置。
【請求項２】
前記駆動構造はモーターを含み、該モーターは一つのローラーを接続し、該ローラーに一つの偏心軸を設け、花びらのブレーキレバーが該偏心軸と接続することを特徴とする請求項１記載の放射性降下物検出装置。
【請求項３】
前記花びらを栓体で茎の上端に近い部分に固定することで、花びらは栓体を支点に可動できることを特徴とする請求項１記載の放射性降下物検出装置。
【請求項４】
前記放射性降下物検出部品は、赤外線反射検出部品或いは重量検出部品とすることを特徴とする請求項１記載の放射性降下物検出装置。
【考案の詳細な説明】
【技術分野】
【０００１】
本考案は放射性降下物検出装置の構造に関し、特に周囲の放射性降下物量を検出し、量が過大の場合は、警告サインとして花びらを垂れさせて萎れた状態にさせる。また、異なる缶からフィトンチッドやオゾンなどを霧吹き状にして噴霧することで、周りの空気がよい香りに包まれ、クリーンにする放射性降下物検出装置の構造に関する。
【背景技術】
【０００２】
工業が発展し、自動車量が急速に増えたことで、環境の汚染は日を追うごとに悪くなってきた。中でも空気中に存在する放射性降下物は、肉眼視できないため、無視されてしまうことが多々ある上、現在放射性降下物を検出し、警告サインを出す製品がなく、放射性降下物により、人間の呼吸器官に影響を与え、呼吸器を病変させることさえもある。よって、空気の質を改善すべきほか、周りの環境の放射性降下物の量にも目を向けなければならないことを鑑みて、放射性降下物検出装置を案出した。
【先行技術文献】
【特許文献】
【０００３】
【特許文献１】特開２０１３−６１２５４号公報
【考案の概要】
【考案が解決しようとする課題】
【０００４】
本考案の主な目的は、周りの放射性降下物の量を検出し、量が過大の場合は、警告サインとして花びらを垂れさせて萎れた状態にさせる。また、異なる缶からフィトンチッドやオゾンなどを霧吹き状にして噴霧することで、周りの空気がよい香りに包まれ、クリーンにする放射性降下物検出装置の構造を提供することにある。
【課題を解決するための手段】
【０００５】
上述の目的を解決するために、本考案は放射性降下物検出装置を提供する。本考案に含まれるのは植木鉢状の座体、座体に設けるフラワーボディであり、該座体にフィトンチッド、オゾンなど香りのある気体が入った缶を設置する。該缶に超音波の噴霧器を設け、該フラワーボディに放射性降下物検出部品および複数の茎、該茎の上端に可動できる花びらを設ける。該花びらはブレーキレバーによって駆動構造と接続することで、ノーマルの状態で放射性降下物検出部品が周りの放射性降下物の量を検出する。放射性降下物の量が過大である場合に駆動構造を触発し、それによりブレーキレバーが作動して花びらが垂れて萎れた状態を呈すことで、警告サインとする。また、異なる缶より微粒子化したフィトンチッド、オゾンなどを噴霧することで、周りの空気が香りに包まれてクリーンとなる。
【０００６】
前記の放射性降下物検出装置の花びらのブレーキレバーは、一つのローラーに設ける偏心軸と接続し、該偏心軸はモーターと接続し、モーターを介し、ローラーが一つの角度を回転することで、花びらが直立或いは垂れるようになる。
【考案の効果】
【０００７】
本考案は放射性降下物検出部品が周りの放射性降下物の量を検出することができ、放射性降下物の量が過大である場合に駆動構造を触発し、それによりブレーキレバーが作動して花びらが垂れて萎れた状態を呈すことで、警告サインとする。また、異なる缶より微粒子化したフィトンチッド、オゾンなどを噴霧することで、周りの空気が香りに包まれてクリーンとなる。
【図面の簡単な説明】
【０００８】
【図１】本考案の立体図である。
【図２】本考案の構造図である。
【図３】本考案の花びらと駆動構造の接続実施例図である。
【図４】本考案の一つの使用実施例図である。
【図５】本考案の別の使用実施例図である。
【実施例】
【０００９】
図１および図２、図３に示すのは、本考案の立体図、構造図および花びらと駆動構造の接続実施例図である。図に示すように、本考案は植木鉢状の座体１、座体１に設けるフラワーボディ２を含む。該座体１の表面は光を透過できる材質であり、間隔をあけて配列する穴１０を設け、該内部に制御回路１１を設け、液状のフィトンチッド、オゾンなど香りのある気体を設置する。また、穴１０に対応した缶１２に制御回路１１と接続する超音波噴霧器１３を設ける。該座体１は更に制御回路１１と接続する駆動構造１４および液晶モニター１５、照明ランプ１６(ＬＥＤ球)を設ける。該駆動構造１４はモーター１４１を含み、該モーターは一つのローラー１４２を接続し、該ローラー１４１に一つの偏心軸を設け、該液晶モニター１５は日付と時計の機能を持つ。
【００１０】
該フラワーボディ２は制御回路１１の放射性降下物検出部品２１と接続し、(赤外線反射検出部品或いは重量検出部品とする)、および複数の中空状の茎２２の上端に可動する花びら２３を設ける。該花びら２３を栓体２３１で茎２２の上端に近い部分に固定することで、花びら２３は栓体２３１を支点に可動できる。また、花びら２３はそれぞれ中空の茎２２を通り、座体１の駆動構造１４の偏心軸１４３と接続するブレーキレバー２４とつながるため、ローラー１４２が逆回転して定位についたとき、ブレーキレバー２４は下向きに引っ張ることで花びら２３が直立状態を呈し、ローラー１４２が時計回りに一つの角度を回転して定位するとき、ブレーキレバー２４は上向きに押して花びら２３が垂れて萎れた状態になる。
【００１１】
前記構造部品の組み合わせにより放射性降下物検出装置を構成する。ノーマルの状態で放射性降下物検出部品２１を介して、周りの放射性降下物の量を検出し、放射性降下物の量が過大である場合は、駆動構造１４を触発するようコントロールすることで、ブレーキレバー２４を作動させて花びらを垂れて萎れた状態にし、警告サインとする。また、異なる缶よりフィトンチッドやオゾンなどを噴霧することで、周りの空気が香りに包まれてクリーンとなる。
【００１２】
図４に示すのは、本考案の使用実施例図である。図２および図３も合わせて参照する。図に示すのは、本考案はノーマルの状態で、座体１の駆動構造１４にあるローラー１４２が逆回転して定位すると、ブレーキレバー２４を下向きに引っ張って花びら２３を直立状態に呈す。座体１内にある照明ランプ１６は上向きにフラワーボディ２を照らすため、フラワーボディ２の美的感覚が増す。周囲の放射性降下物が絶えずに放射性降下物検出部品２１に降りかかると、制御回路１１が一定時間の放射性降下物量を判読し、その量が過大となる際に駆動構造１４を触発するため、ローラー１４２が時計回りに一つの角度を回転して定位し、ブレーキレバー２４は上向きに押して花びら２３が垂れて萎れた状態になり、警告サインとする。                                                                                                                                        
【００１３】
図５に示すのは、本考案の別の使用実施例図である。図２と合わせて参照する。本考案は制御回路１１を介し、設定する時間或いは放射性降下物の量が過大となる場合、缶１２の超音波噴霧器１３を起動し、缶１２に収納するフィトンチッド、オゾンなどを微粒子化し、座体１から上向きに噴霧することで、周りの空気が香りに包まれてクリーンとなる。
【００１４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【００１５】
本考案は駆動構造を設ける座体に、可動する花びらを持つフラワーボディ、および液状のフィトンチッド、オゾンなどを収納する缶で構成する放射性降下物検出装置である。周りの放射性降下物の量を検出し、量が過大になる際に、花びらを垂れさせて萎れた状態にして、警告サインとする。異なる缶より微粒子化したフィトンチッド、オゾンなどを噴霧することで、周りの空気が香りに包まれてクリーンとなる。
【符号の説明】
【００１６】
１、座体
１０  穴
１１  制御回路
１２  缶
１３  超音波噴霧器
１４  駆動構造
１４１  モーター
１４２  ローラー
１４３  偏心軸
１５  液晶モニター
１６  照明ランプ
２  フラワーボディ
２１  放射性降下物検出部品
２２  茎
２３  花びら
２３１  栓体
２４  ブレーキレバー
【図１】
0003184728.tif 000003
【図２】
0003184728.tif 000004
【図３】
0003184728.tif 000005
【図４】
0003184728.tif 000006
【図５】
0003184728.tif 000007